(57)【要約】【課題】  煩雑な保険設定を行うことないシステム等を提供する。【解決手段】  システムは、保険契約情報を格納するデータベースにアクセス可能なサーバ２を備える。前記サーバ２は、端末１から回線３を介して、前記保険契約情報の条件の一時的な変更依頼を受信する受信部（Ｓ７）と、前記受信部によって受信された前記一時的な変更依頼に従って保険料の変化量を算出する算出部（Ｓ８）と、前記回線３を介して前記端末１に、前記算出部によって算出された前記保険料の変化量を送信する送信部（Ｓ８）と、を有する。【選択図】  図２
2013148960.tif 000002
【特許請求の範囲】
【請求項１】
保険契約情報を格納するデータベースにアクセス可能なサーバを備え、
前記サーバは、
端末から回線を介して、前記保険契約情報の条件の一時的な変更依頼を受信する受信部と、
前記受信部によって受信された前記一時的な変更依頼に従って保険料の変化量を算出する算出部と、
前記回線を介して前記端末に、前記算出部によって算出された前記保険料の変化量を送信する送信部と、
を有することを特徴とするシステム。
【請求項２】
前記一時的な変更依頼の単位は、時間数又は日数であることを特徴とする請求項１に記載のシステム。
【請求項３】
前記一時的な変更依頼に従って前記保険契約情報の条件が前記一時的な変更依頼の期間だけ変更されるように、前記サーバは、前記保険契約情報を更新し、
前記期間が経過した後、前記サーバは、前記保険契約情報を自動的に元に戻すことを特徴とする請求項１又は２に記載のシステム。
【請求項４】
前記保険契約情報は、自動車保険契約情報、バイク保険契約情報、又は船舶保険契約情報であり、前記条件は、運転者条件又は保険金額条件であることを特徴とする請求項１乃至３の何れか１項に記載のシステム。
【請求項５】
前記端末をさらに備え、
前記端末は、自動車、バイク、船舶又は携帯電話の通信部を用いて前記回線に接続することを特徴とする請求項４に記載のシステム。
【請求項６】
前記端末の前記通信部は、電子免許証情報を前記サーバの前記受信部に送信することを特徴とする請求項５に記載のシステム。
【請求項７】
前記保険契約情報は、医療保険契約情報又は傷害保険契約情報であり、前記条件は、保険金額条件であることを特徴とする請求項１乃至３の何れか１項に記載のシステム。
【請求項８】
端末から、保険契約情報の条件の一時的な変更依頼をサーバで受信すること、
前記一時的な変更依頼に従って保険料の変化量を前記サーバで算出すること、
前記端末に、前記保険料の変化量を前記サーバで送信すること、
を含むことを特徴とする方法。
【発明の詳細な説明】
【技術分野】
【０００１】
本発明は、保険契約情報の条件を一時的に変更するシステムおよびその方法等に関する。
【背景技術】
【０００２】
例えば特許文献１の図１は、保険契約を成立させるためのシステムとして、損害保険データ取得システム１を開示している。また、特許文献１の段落［００７４］の記載によれば、現在位置から目的位置までの走行ルートの道路交通状態およびドライバの過去の運転実績（走行路、走行速度、走行時間等）からその運転の都度算出し、算出した損害保険に関するデータに基づいて損害保険契約を締結することができる。
【先行技術文献】
【特許文献】
【０００３】
【特許文献１】特開２００３−６４３９号公報
【発明の概要】
【発明が解決しようとする課題】
【０００４】
しかしながら、運転者は走行毎に走行ルートを決定しなければ、保険契約が成立しないので、その設定作業が煩雑であった。また、特許文献１の段落［００７３］の記載によれば、契約内容に対応する走行ルートを逸脱して走行したことに対する、保険契約内容の変更（保険料の増加）が通知される。従って、運転者は、走行ルートを順守する必要があった。さらに、過去の運転実績を評価するためには、複雑な計算式を導入し、また、試行錯誤しながらその計算式を決定する必要があった。
【０００５】
本発明の１つの目的は、煩雑な保険設定を行うことないシステムを提供することである。本発明の他の目的は、以下に例示する態様及び好ましい実施形態、並びに添付の図面を参照することによって、当業者に明らかになるであろう。
【課題を解決するための手段】
【０００６】
以下に、本発明の概要を容易に理解するために、本発明に従う態様を例示する。
【０００７】
本発明に従う第１の態様は、保険契約情報を格納するデータベースにアクセス可能なサーバを備え、
前記サーバは、
端末から回線を介して、前記保険契約情報の条件の一時的な変更依頼を受信する受信部と、
前記受信部によって受信された前記一時的な変更依頼に従って保険料の変化量を算出する算出部と、
前記回線を介して前記端末に、前記算出部によって算出された前記保険料の変化量を送信する送信部と、
を有することを特徴とするシステムに関係する。
【０００８】
このシステムによれば、保険契約情報の条件を一時的に変更することができる。従って、システムは、既存の保険契約情報を利用することができ、例えば特許文献１で示されるような走行毎の走行ルートの設定を必要としない。これにより、煩雑な保険設定を行うことが回避される。
【０００９】
また、契約者は、通常、一般的な条件で保険料を安く契約することができ、例外的に、一般的な条件以外の条件（他の条件）で保険契約を更新することができる。
【００１０】
第１の態様において、前記一時的な変更依頼の単位は、時間数又は日数であってもよい。
【００１１】
一時的な変更依頼の単位を時間数又は日数に設定することで、契約者は、容易に保険契約を更新することができる。
【００１２】
第１の態様において、前記一時的な変更依頼に従って前記保険契約情報の条件が前記一時的な変更依頼の期間だけ変更されるように、前記サーバは、前記保険契約情報を更新してもよく、
前記期間が経過した後、前記サーバは、前記保険契約情報を自動的に元に戻してもよい。
【００１３】
一時的な変更依頼の期間後にシステムが自動的に保険契約（契約条件）を元に戻すので、契約者は、他の条件（更新後の条件）から一般的な条件（更新前の条件）に戻して、保険契約を再更新する必要がない。
【００１４】
第１の態様において、前記保険契約情報は、自動車保険契約情報、バイク保険契約情報、又は船舶保険契約情報であってもよく、前記条件は、運転者条件又は保険金額条件であってもよい。
【００１５】
契約者（運転者）は、自動車保険契約情報、バイク保険契約情報、又は船舶保険契約情報の運転者条件（例えば本人限定、年齢制限）又は保険金額条件（例えば対人賠償保険金額）を変更するだけで、一時的に保険契約を更新することができる。
【００１６】
第１の態様において、システムは、
前記端末をさらに備えてもよく、
前記端末は、自動車、バイク、船舶又は携帯電話の通信部を用いて前記回線に接続してもよい。
【００１７】
自動車、バイク等の車両、船舶に搭載される機器の通信部を利用することで、契約者（運転者）は、車両等内で保険契約を更新することができる。或いは、携帯電話を車両等内に持ち込みんで、契約者（運転者）は、車両内で保険契約を更新することができる。このような車両等内での保険契約の更新は、他の条件（一般的な条件以外の条件）が発生又は確定した時点で、実行することができる。
【００１８】
第１の態様において、前記端末の前記通信部は、電子免許証情報を前記サーバの前記受信部に送信してもよい。
【００１９】
サーバは、電子免許証情報を利用して、契約者（運転者）又は保険契約を特定することができる。
【００２０】
第１の態様において、前記保険契約情報は、医療保険契約情報又は傷害保険契約情報であってもよく、前記条件は、保険金額条件であってもよい。
【００２１】
契約者は、医療保険契約情報又は傷害保険契約情報の保険金額条件（例えば入院給付金日額）を変更するだけで、一時的に保険契約を更新することができる。
【００２２】
本発明に従う第２の態様は、端末から、保険契約情報の条件の一時的な変更依頼をサーバで受信すること、
前記一時的な変更依頼に従って保険料の変化量を前記サーバで算出すること、
前記端末に、前記保険料の変化量を前記サーバで送信すること、
を含むことを特徴とする方法に関係する。
【００２３】
この方法によれば、保険契約情報の条件を一時的に変更することができる。従って、方法は、既存の保険契約情報を利用することができ、例えば特許文献１で示されるような走行毎の走行ルートの設定を必要としない。これにより、煩雑な保険設定を行うことが回避される。
【００２４】
当業者は、例示した本発明に従う態様が、本発明の精神を逸脱することなく、さらに変更され得ることを容易に理解できるであろう。
【図面の簡単な説明】
【００２５】
【図１】本発明に従うシステムの概略構成例を示す。
【図２】本発明に従う方法の概略構成例を示す。
【図３】端末側の契約変更アプリケーションでのIDの送信例を示す。
【図４】契約変更アプリケーションでの契約条件の受信例を示す。
【図５】契約変更アプリケーションでの契約条件の選択例を示す。
【図６】契約変更アプリケーションでの保険料の変化量の表示例を示す。
【図７】本発明に従う方法の他の概略構成例を示す。
【図８】契約変更アプリケーションでの契約条件の他の受信例を示す。
【図９】契約変更アプリケーションでの契約条件の他の選択例を示す。
【発明を実施するための形態】
【００２６】
以下に説明する好ましい実施形態は、本発明を容易に理解するために用いられている。従って、当業者は、本発明が、以下に説明される実施形態によって不当に限定されないことを留意すべきである。
【００２７】
図１は、本発明に従うシステムの概略構成例を示す。図１の例において、システムは、少なくともサーバ２を備え、システムは、端末１をさらに備えることができる。サーバ２は、保険契約情報を格納するデータベースにアクセス可能であり、このデータベースは、サーバ２に内蔵されてもよく、サーバ２に遠隔操作されてもよい。データベースは、例えばリレーショナルデータベースで構成され、データベースに格納される保険契約情報又はテーブルは、保険の種類に応じて設定されるが、保険契約情報は、保険契約を特定する情報（例えば証券番号）を有する。また、保険契約情報は、契約条件情報（例えば運転者条件、保険金額条件）、契約者情報（例えば契約者の氏名、住所及び電話番号）等を有することができる。データベースは、保険契約を特定する情報と他の情報（契約条件情報、契約者情報）とを関連付けており、例えば証券番号をキーとして、その証券番号に対応する契約条件情報等を検索することができる。
【００２８】
サーバ２は、例えば、CPU(central processing unit)等の処理部、HDD(hard disk drive)等の記憶部、Ethernet（登録商標）LAN(local area network)ボード等の通信部で構成される。記憶部又はサーバ２には、OS(operating system)アプリケーション及びOSアプリケーション上で実行可能なアプリケーション等のプログラムを記憶することができる。OSは、例えば、Windows(登録商標) Server 2008 operating systemであり、プログラムには、例えば、データベースにアクセスし、端末１と通信し、保険契約を更新するプログラムが含まれる。なお、サーバ２及び／又はデータベースは、例えば、クラウドコンピューティング（cloud computing）で実現することができる。
【００２９】
端末１は、例えば、CPU等の処理部、HDD、フラシュメモリ等の記憶部、3G通信モジュール、Wifi(wireless fidelity)通信モジュール、Bluetooth（登録商標）通信モジュール等の通信部、タッチパネル式ディスプレイ等の表示部及び入力部で構成される。なお、端末１は、外部の入力部としてのIC(integrated circuit)カードリーダ１ａと接続されてもよい。記憶部又は端末１には、OSアプリケーション及びOSアプリケーション上で実行可能なアプリケーション等のプログラムを記憶することができる。OSは、例えば、アンドロイドOSであり、プログラムには、例えば、サーバ２と通信するプログラムが含まれる。端末１は、例えばタブレット型のPC(personal computer)であるが、ノート型のPC又はデスクトップ型のPCでもよく、或いは、PDA(personal digital assistant)又は例えば、いわゆるスマートフォン等の携帯電話端末でもよい。また、例えばタブレット型のPCが携帯電話機能又は携帯電話モジュールを有してもよい。
【００３０】
回線３は、少なくとも１つの回線、例えばインターネットで構成され、好ましくは、複数の回線の組み合わせ、例えばインターネットと携帯電話網及び／又は公衆無線LANとの組み合わせで構成される。
【００３１】
車両４は、例えば自動車であり、自動車は、自動車に搭載される機器（車載機器）を有することができる。端末１は、車載機器と接続可能であり、車載機器と接続される端末１には、車載機器を介して自動車のバッテリ電源が供給される。車載機器は、端末１の規格に応じて、自動車のバッテリ電源をそのまま端末１に供給してもよく、又はバッテリ電源を端末１の駆動電源に変換して変換されたバッテリ電源（駆動電源）を端末１に供給してもよい。車載機器は、例えば、端末１の駆動電源、車載機器内の部品の駆動電源を生成する電源部で構成される。車両４は、自動車以外のバイク等であってもよく、車両４の代わりに、ボート等の船舶が船載機器を有してもよい。
【００３２】
車載機器は、例えば、3G通信モジュール、Wifi通信モジュール、Bluetooth（登録商標）通信モジュール等の通信部、CPU等の処理部、HDD、フラシュメモリ等の記憶部、記憶部又はBD(blu-ray disc)、DVD(digital versatile disc)内の音楽メディア、動画メディア等のメディアを再生する再生部でさらに構成されてもよい。端末１が回線３に接続できる通信部を有しない場合、端末１は、車載機器又は車両４を介して回線３に接続することができる。車載機器又は車両４には、OSアプリケーション及びOSアプリケーション上で実行可能なアプリケーション等のプログラムを記憶することができる。OSは、例えば、Windows（登録商標） Automotiveであり、プログラムには、例えば、回線３と接続するプログラム、メディアを再生するプログラムが含まれる。端末１及び／又は車載機器は、目的地までのルートをナビゲーションするプログラムを有してもよく、GPS(global positioning system)受信機をさらに有してもよい。
【００３３】
図２は、本発明に従う方法の概略構成例を示す。図２の例において、方法は、図１のシステム（端末１及びサーバ２）によって実行され、方法は、概して、少なくとものステップＳ７及びＳ８を含み、他のステップをさらに含むことができる。ステップＳ７において、方法は、端末１から、保険契約情報の条件の一時的な変更依頼をサーバ２で受信し、ステップＳ８において、方法は、一時的な変更依頼に従って保険料の変化量をサーバ２で算出し、端末１に、保険料の変化量をサーバ２で送信する。この方法によれば、保険契約情報の条件を一時的に変更することができる。従って、方法は、既存の保険契約情報を利用することができ、例えば特許文献１で示されるような走行毎の走行ルートの設定を必要としない。これにより、煩雑な保険設定を行うことが回避される。以下に、図２の方法の構成例を図３〜図６も参照しながら説明する。なお、図２の例において、保険契約情報は、例えば自動車保険契約情報であるが、バイク保険契約情報又は船舶保険契約情報であってもよい。
【００３４】
図２のステップＳ１において、方法は、保険契約情報の条件の一時的な変更依頼を実行可能なアプリケーション（契約変更アプリケーション）又はプログラムを端末１又は例えば3G通信モジュールで回線３からダウンロードする。契約変更アプリケーションは、サーバ２に記憶されてもよく、回線３上の他のサーバに記憶されてもよく、契約変更アプリケーションは、サーバ２又は他のサーバからダウンロード可能に設定されている。ダウンロードによって、契約変更アプリケーションは、端末１の例えばHDDに記憶され、例えばアンドロイドOSのホーム画面に登録することができる。例えば運転者又は契約者が、例えばタッチパネル式ディスプレイに表示されるホーム画面上の契約変更アプリケーションを例えば手でクリックすると、図２のステップＳ１において、方法は、契約変更アプリケーションを端末１又は例えばCPUで起動する。
【００３５】
図３は、契約変更アプリケーションでのID(identification)の送信例を示す。契約変更アプリケーションが起動すると、例えば図３で示される画面が例えばタッチパネル式ディスプレイに表示され、例えば運転者又は契約者は、IDの送信手法を選択することができる。端末１がICカードリーダ１ａと接続されている場合、例えば運転者は、図３の項目Ｃ１「免許証番号をICカードで送信する」を例えば手で選択することができる。端末１がICカードリーダ１ａと接続されていない場合、例えば運転者は、図３の項目Ｃ２「免許証番号を入力し、送信する」を例えば手で選択することができる。
【００３６】
IDを送信する際に、契約変更アプリケーションは、パスワード又は暗証番号も送信することができる。例えば運転者は、図３の項目Ｃ３にパスワードを例えば手で入力することができる。なお、パスワードを構成する文字、数字、記号等の情報は、例えばタッチパネル式ディスプレイに表示されるキーボード（図示せず）で選択でき、図３の項目Ｃ３がクリックされると、キーボードが表示される。
【００３７】
項目Ｃ１が選択される場合、例えば運転者は、運転者自身の電子免許証をICカードリーダ１ａにかざし、更に項目Ｃ３にパスワードを入力し、項目Ｃ４「実行」を例えば手でクリックすると、図２のステップＳ２において、方法は、サーバ２に、例えば電子免許証に格納される免許証番号又はIDを端末１又は例えば3G通信モジュールで送信する。ICカードリーダ１ａは、契約変更アプリケーションによって制御されて、免許証番号又はIDを読み取ることができる。
【００３８】
なお、端末１のWifi通信モジュール又はBluetooth（登録商標）通信モジュールが車両４又は車載機器のWifi通信モジュール又はBluetooth（登録商標）通信モジュールと通信した状態で、契約変更アプリケーションは、免許証番号又はIDを車両４の例えば3G通信モジュールでサーバ２に送信してもよい。例えば自動車に搭載機器の回線３に接続できる通信部を利用することで、運転者は、端末１自身又は端末１単体では回線３に接続できない端末１を利用する場合であっても、自動車等の車両４内で保険契約を更新することができる。もちろん、端末１自身又は端末１単体で回線３に接続できる端末１を利用する場合、運転者は、その端末１を例えば自動車等の車両４内に持ち込みんで、或いは、適宜の場所で、保険契約を更新することができる。このような保険契約の更新は、保険契約情報の条件の一時的な変更依頼が発生又は確定した時点で、実行することができる。
【００３９】
例えば、契約者又は運転者（例えば上司）が同乗者（例えば部下）と一緒に、その運転者の自動車でゴルフ場に行き、ゴルフを楽しんでいたとする。運転者（例えば上司）の自動車保険契約（いわゆる任意保険）の運転者の範囲が本人限定（又は家族限定）であり、同乗者（例えば部下）が含まれていない場合であっても、運転者の範囲又は限定を一時的に解除することで、例えばゴルフを楽しんだ後に、部下が上司の自動車を安心して運転し、上司又は契約者の運転による負担を軽減又は分散させることができる。このような状況は、不確定な場合もあり、部下が実際に運転をすることが確定した時点で、契約者又は上司は、保険契約を更新することができる。
【００４０】
ところで、免許証番号以外のIDを送信する場合、例えば運転者は、図３の項目Ｃ５「IDの種類を変更する」を例えば手でクリックすることができる。図３の項目Ｃ５がクリックされると、図３の画面と同様な画面（図示せず）が例えばタッチパネル式ディスプレイに表示され、例えば運転者は、IDの他の送信手法を選択することができる。例えば運転者又は端末１は、免許証番号の代わりに、保険契約を特定する情報（ID）として、例えば証券番号、ナンバープレート情報、契約者情報等をサーバ２に送信してもよい。証券番号以外の免許証番号、ナンバープレート情報（又は例えば自動車登録番号標）、契約者情報等でも、それらをキーとして、それらに対応する契約条件情報等をサーバ２又はデータベースで抽出することができる。
【００４１】
図２のステップＳ３において、方法は、端末１から、例えば電子免許証に格納される免許証番号又はIDをサーバ２又は例えばEthernet（登録商標）LANボードで受信し、免許証番号又はIDがデータベース内に存在すれば、それをサーバ２又は例えばCPU（又は例えば保険契約を更新するプログラム（保険更新プログラム））で認証する。この時、免許証番号又はIDとともに例えばパスワードで、サーバ２は、免許証番号又はID、或いは運転者又は契約者を認証することが安全性の観点から好ましい。サーバ２は、認証された免許証番号又はIDに対応する契約条件情報のうちの一時的に変更可能な契約条件をデータベースから検索又は抽出することができる。
【００４２】
図２のステップＳ４において、方法は、端末１に、契約条件情報をサーバ２又は例えばEthernet（登録商標）LANボードで送信する。契約条件情報は、様々な条件を有することができるが、サーバ２は、基本的な条件を維持しながら、一時的に変更可能な契約条件、例えば運転者条件だけを端末１に送信することができる。図２のステップＳ５において、方法は、サーバ２から、契約条件情報を端末１又は例えば3G通信モジュールで受信し、契約条件情報を端末１又は例えばタッチパネル式ディスプレイで表示する。
【００４３】
図４は、契約変更アプリケーションでの契約条件の受信例を示す。例えば一時的に変更可能な契約条件が受信されると、契約変更アプリケーションは、例えば図４で示される画面を例えばタッチパネル式ディスプレイに表示する。図４の例において、一時的に変更可能な契約条件は、運転者条件であり、項目Ｃ６「運転者の年齢制限は３０歳未満不担保です」は、運転者条件の年齢制限を表し、項目Ｃ７「運転者の範囲は本人限定です」は、運転者条件の範囲又は限定を表している。例えば運転者又は契約者は、変更したい契約条件を選択することができ、例えば運転者は、図４の項目Ｃ６及び項目７の双方を例えば手で選択することができる。もちろん運転者は、項目Ｃ６及び項目７のうちの１つの項目だけを選択してもよく、例えば図４の項目Ｃ８「他の項目を表示する」をクリックすることによって他の契約条件（図示せず）を表示及び選択してもよい。
【００４４】
図５は、契約変更アプリケーションでの契約条件の選択例を示す。図５の例において、項目Ｃ７が選択されて、項目Ｃ１０の運転者条件の範囲又は限定は、「本人限定」から「１．なし」に変更されている。例えば運転者は、項目Ｃ１０を例えば手でクリックして、項目Ｃ１０のプルダウンメニューの中から「１．なし」（限定なし）を選択することができる。或いは、運転者は、項目Ｃ１０のプルダウンメニューの中から「２．家族限定」（図示せず）を選択してもよい。
【００４５】
図５の例において、例えば項目Ｃ７の内容の選択に伴って、更新期間（一時的な変更依頼の単位）が選択可能にされ、例えば運転者は、項目Ｃ１１をプルダウンメニューの中から例えば「１．１日」を選択することができる。或いは、運転者は、項目Ｃ１１のプルダウンメニューの中から例えば「２．２日」、「３．３日」、「４．４日」、「５．５日」、「６．６日」又は「７．７日」（図示せず）を選択してもよい。一時的な変更依頼の単位が日数の代わりに時間数が設定される場合、運転者は、項目Ｃ１１のプルダウンメニューの中から例えば「１．２４時間（１日）」、「２．１２時間」、「３．３時間」又は「４．１時間」（図示せず）を選択してもよい。一時的な変更依頼の単位を時間数又は日数に設定することで、運転者は、容易に保険契約を更新することができる。なお、項目Ｃ１１の選択に伴って、保険契約情報の条件の一時的な変更依頼を適用する日又は期間を選択する項目（図示せず）が選択可能にされてもよい。これにより、予め予定が決まっている場合には事前に設定することができる。
【００４６】
図５の例において、項目Ｃ６も選択されて、項目Ｃ９の運転者条件の年齢制限を表すプルダウンメニュー（例えば、「１．全年齢担保」、「２．２１歳未満不担保」）が表示されている。例えば運転者は、項目Ｃ９の内容として「１．全年齢担保」又は「２．２１歳未満不担保」を例えば手で選択することができる。
【００４７】
例えば項目Ｃ６，Ｃ７，Ｃ９，Ｃ１０，Ｃ１１が選択される場合、例えば運転者は、項目Ｃ１２「実行」を例えば手でクリックして、一時的な変更依頼を決定することができる。もちろん運転者は、例えば図５の項目Ｃ８「他の項目を表示する」をクリックすることによって他の契約条件（図示せず）を追加及び選択してもよい。他の契約条件は、例えば、対人賠償保険金額、車両保険金額等の保険金額条件であり、最初の保険契約において契約又は選択されていない保険金額は、０円から増額してもよい。
【００４８】
図２のステップＳ６において、方法は、例えば図５の項目Ｃ６，Ｃ７，Ｃ９，Ｃ１０，Ｃ１１によって一時的な変更依頼を端末１又は例えばタッチパネル式ディスプレイで選択し、また方法は、サーバ２に、例えば図５の項目Ｃ６，Ｃ７，Ｃ９，Ｃ１０，Ｃ１１によって決定される一時的な変更依頼を端末１又は例えば3G通信モジュールで送信する。ステップＳ７において、方法は、端末１から、保険契約情報の条件の一時的な変更依頼をサーバ２又は例えばEthernet（登録商標）LANボード（或いは受信部）で受信し、ステップＳ８において、方法は、一時的な変更依頼に従って保険料の変化量をサーバ２又は例えばCPU（或いは算出部）で算出し、端末１に、保険料の変化量をサーバ２又は例えばEthernet（登録商標）LANボード（或いは送信部）で送信する。
【００４９】
一時的な変更依頼をサーバ２が受信すると、サーバ２又は保険更新プログラムは、例えばサーバ２の記憶部に記憶される計算式又はテーブルを参照して、保険料の変化量を算出することができる。計算式又はテーブルは、保険会社によって予め設定され、例えば最初の保険契約の保険料（当初の例えば１年分の保険料）を算出する際に用いられた計算式又はテーブルを用いることができる。サーバ２又は保険更新プログラムは、例えば、一時的な変更依頼によって達成される変更後の１年分の保険料から当初の例えば１年分の保険料を減算して、例えば１年分の保険料の増加分を算出する。その後、サーバ２又は保険更新プログラムは、例えば、１年分の保険料の増加分を３６５日で除算して例えば１日分の保険料の増加分を算出し、１日分の保険料の増加分に一時的な変更依頼に含まれる更新期間（例えば１日）を乗算し、一時的な変更依頼に従う保険料の変化量（総量）を算出する。
【００５０】
図２のステップＳ９において、方法は、サーバ２から、保険料の変化量（総量）を端末１又は例えば3G通信モジュールで受信し、保険料の変化量を端末１又は例えばタッチパネル式ディスプレイで表示する。
【００５１】
図６は、契約変更アプリケーションでの保険料の変化量の表示例を示す。図６の例において、例えば運転者は、項目Ｃ１３で、保険料の変化量（増加分）を確認することができる。保険料の変化量（増加分）が例えば運転者によって承諾される場合、例えば運転者は、項目Ｃ１４「申込」を例えば手でクリックして、一時的な変更依頼を確定することができる。保険料の変化量（増加分）が例えば運転者によって承諾されない場合、例えば運転者は、項目Ｃ１５「やり直し」を例えば手でクリックして、例えば図４の画面に戻り、他の一時的な変更依頼を選択又は決定することができる。
【００５２】
なお、一時的な変更依頼の内容によっては、保険料の変化量（総量）は、保険料の減少分であってもよい。しかしながら、保険料の変化量（総量）が保険料の増加分であるように、サーバ２又は保険更新プログラムは、一時的な変更依頼の内容又は項目を制限することができる。このような制限により、例えば運転者は、容易に一時的な変更依頼を確定することができる。また、例えば運転者は、当初の例えば１年分の保険料を安く契約することができる。
【００５３】
図２のステップＳ１０において、方法は、サーバ２に、保険契約情報の条件の一時的な変更依頼（契約変更）の申し込みを端末１又は例えば3G通信モジュールで送信する。代替的に、図２のステップＳ１０において、方法は、契約変更の申し込みを実行しないで、例えば図２のステップＳ６に戻る。契約変更の申し込みが実行される場合、図２のステップＳ１１において、方法は、端末１から受信される契約変更の申し込みをサーバ２又は例えばCPU（或いは更新部）で実行する。具体的には、契約変更の申し込みを受信した時刻から、サーバ２又は保険更新プログラムは、契約変更の申し込み（又は承認された一時的な変更依頼）に従って保険契約情報（当初の例えば１年分の保険契約）の条件（例えば運転者条件の年齢制限及び範囲の変更）が一時的な変更依頼の期間（例えば１日分）だけ変更されるように、データベース内の保険契約情報を変更又は追加することによって更新する。
【００５４】
図２のステップＳ１２において、方法は、保険契約情報をサーバ２又は例えばCPU（或いは更新部）で自動的に元に戻す。具体的には、契約変更の申し込みを受信した時刻（又は、例えば保険契約情報の条件の一時的な変更依頼を適用する日の午前０時）から一時的な変更依頼の期間（例えば１日分）だけ経過した後、サーバ２又は保険更新プログラムは、保険契約情報のうちの変更された契約条件（例えば運転者条件の年齢制限及び範囲の変更）が元の契約条件（当初の運転者条件）に変更されるように、データベース内の保険契約情報を変更又は修復することによって自動的に更新する。これにより、例えば運転者は、運転者自身で保険契約を再更新する必要がない。
【００５５】
図７は、本発明に従う方法の他の概略構成例を示す。図７の例において、保険契約情報は、例えば医療保険契約情報である。以下に、図２の例と異なる部分だけ説明し、図２の例と同一である又は類似する部分の説明は、省略する。図７のステップＳ２'において、方法は、サーバ２に、例えば証券番号又はIDを端末１又は例えば3G通信モジュールで送信する。サーバ２又は保険更新プログラムは、証券番号をキーとして、その証券番号に対応する契約条件情報をデータベースから抽出することができる。
【００５６】
図８は、契約変更アプリケーションでの契約条件の他の受信例を示す。図８の例において、一時的に変更可能な契約条件は、例えば医療保険契約情報の保険金額条件であり、項目Ｃ６'は、保険金額条件の入院給付金日額を表し、項目Ｃ７'は、保険金額条件の死亡又は所定の高度障害のときの保険金額を表している。例えば海外旅行予定者又は契約者は、変更したい契約条件を例えば図８で示すような画面で選択することができる。
【００５７】
図９は、契約変更アプリケーションでの契約条件の他の選択例を示す。図９の例において、例えば海外旅行予定者又は契約者は、図８の項目Ｃ６'及び項目７'の双方を選択し、項目Ｃ９'の保険金額条件の入院給付金日額は、「１万円」から例えば「２．２万円」に変更され、項目Ｃ１０'の保険金額条件の死亡又は所定の高度障害のときの保険金額は、「５，０００万円」から「１．１億円」に変更されている。また、例えば海外旅行予定者又は契約者は、項目Ｃ１１'をプルダウンメニューの中から例えば「７．７日」を選択することができる。
【００５８】
サーバ２は、例えば図９の項目Ｃ６'，Ｃ７'，Ｃ９'，Ｃ１０'，Ｃ１１'によって決定される一時的な変更依頼を受信し、保険料の変化量を算出することができる。本発明に従うシステム又は方法は、医療保険契約情報に適用することができ、また、契約者は、当初の保険料を安く契約することができる。なお、システム又は方法は、傷害保険契約情報の保険金額に適用してもよい。
【００５９】
本発明は、上述の例示的な実施形態に限定されず、また、当業者は、上述の例示的な実施形態を特許請求の範囲に含まれる範囲まで、容易に変更することができるであろう。
【符号の説明】
【００６０】
１・・・端末、１ａ・・・ICカードリーダ、２・・・サーバ、３・・・回線、４・・・車両。
【図１】
2013148960.tif 000003
【図２】
2013148960.tif 000004
【図３】
2013148960.tif 000005
【図４】
2013148960.tif 000006
【図５】
2013148960.tif 000007
【図６】
2013148960.tif 000008
【図７】
2013148960.tif 000009
【図８】
2013148960.tif 000010
【図９】
2013148960.tif 000011